(57)【要約】      （修正有）【課題】部品点数を削減して簡素な構造を実現し、組立て作業性が良好で安価な表示装置を提供する。また、液晶セル周縁の狭額縁化を可能として、意匠性の高い表示装置を提供する。【解決手段】開口部を有するバックキャビネット２００に表示パネルアッセンブリ取付領域とスピーカー取付領域を形成する。フロントベゼル１０２とバックシャーシによって形成される空間内に映像を表示する部材を内蔵して構成される表示パネルアッセンブリ１００は、係合手段および／または締結手段によって前記表示パネルアッセンブリ取付領域を閉塞するように取付けられる。スピーカーパネル部材５００はスピーカー取付領域のみを閉塞するように取付けられ、前記表示パネルアッセンブリ１００のフロントベゼル１０２と前記バックキャビネット２００と前記スピーカーパネル部材５００によって表示装置の筐体を構成する。【選択図】図１
2012068328.tif 000002
【特許請求の範囲】
【請求項１】
開口部を有するバックキャビネットと、映像を表示する部材をフロントベゼルとバックシャーシで形成される空間内に内蔵して構成される表示パネルアッセンブリと、を主要構成部材とする表示装置であって、前記バックキャビネットの開口部と前記表示パネルアッセンブリの間で取付手段を設け、前記表示パネルアッセンブリのフロントベゼルと前記バックキャビネットによって筐体を構成することを特徴とする表示装置。
【請求項２】
開口部を有するバックキャビネットと、液晶セルと光源を含む映像を表示する部材をフロントベゼルとバックシャーシで形成される空間内に内蔵して構成される表示パネルアッセンブリと、電源回路と制御回路を含む基板と、を主要構成部材とする表示装置であって、前記バックキャビネットの開口部に係合フックを形成し、前記表示パネルアッセンブリには前記バックキャビネットの係合フックが係合する溝部を設け、前記表示パネルアッセンブリのバックシャーシおよび／または前記バックキャビネットの内面には前記基板を取付けるための基板取付部を設け、前記表示パネルアッセンブリのフロントベゼルと前記バックキャビネットによって筐体を構成することを特徴とする表示装置。
【請求項３】
開口部を有するバックキャビネットと、液晶セルと光源を含む映像を表示する部材をフロントベゼルとバックシャーシで形成される空間内に内蔵して構成される表示パネルアッセンブリと、電源回路と制御回路を含む基板と、を主要構成部材とする表示装置であって、前記バックキャビネットにはネジが挿通する孔を形成し、前記表示パネルアッセンブリには前記ネジが螺合するネジ穴を設け、前記表示パネルアッセンブリのバックシャーシおよび／または前記バックキャビネットの内面には前記基板を取付けるための基板取付部を設け、前記表示パネルアッセンブリのフロントベゼルと前記バックキャビネットによって筐体を構成することを特徴とする表示装置。
【請求項４】
開口部を有するバックキャビネットと、液晶セルと光源を含む映像を表示する部材をフロントベゼルとバックシャーシで形成される空間内に内蔵して構成される表示パネルアッセンブリと、電源回路と制御回路を含む基板と、を主要構成部材とする表示装置であって、前記バックキャビネットの開口部に係合フックを形成し、前記表示パネルアッセンブリには前記バックキャビネットの係合フックが係合する溝部を設け、さらに、前記バックキャビネットにはネジが挿通する孔を形成し、前記表示パネルアッセンブリには前記ネジが螺合するネジ穴を設け、前記表示パネルアッセンブリのバックシャーシおよび／または前記バックキャビネットの内面には前記基板を取付けるための基板取付部を設け、前記表示パネルアッセンブリのフロントベゼルと前記バックキャビネットによって筐体を構成することを特徴とする表示装置。
【請求項５】
前記バックキャビネットには、表示パネルアッセンブリを取付ける表示パネルアッセンブリ取付領域と、前記表示パネルアッセンブリ取付領域とは別に音声を出力するためのスピーカーを取付けるスピーカー取付領域を形成し、前記スピーカー取付領域のみを前記バックキャビネットと共に閉塞するスピーカーパネル部材を設け、前記表示パネルアッセンブリのフロントベゼルと前記バックキャビネットと前記スピーカーパネル部材によって筐体を構成することを特徴とする請求項１乃至請求項４の何れか１項に記載の表示装置。
【発明の詳細な説明】
【技術分野】
【０００１】
本発明は、映像を表示するモニターやテレビジョン受像機などの表示装置に関する。
【背景技術】
【０００２】
近年の表示装置は、高さ寸法及び幅寸法に比べて奥行き寸法が小さい液晶セルを備えた薄型の表示装置が主流となっている。このような薄型の表示装置には、電源を供給するための回路基板や、外部から入力される信号を制御して前記液晶セルに映像を表示させるための回路基板などが取付けられており、構造の簡素化や表示装置の軽量化、薄型化、或いは意匠性の向上を図るためにさまざまな工夫が施されている。
【０００３】
例えば、特許文献１では、表示窓を備えたフロントキャビネットと、このフロントキャビネットの後方に配置されるバックキャビネットによって構成される筐体の内部に、補強板を基準として、映像を表示する部材をフロントベゼルとバックシャーシで形成される空間内に内蔵して構成される表示パネルアッセンブリと各種回路基板を取付け一体化したものを取付ける構造とし、表示装置の組立て工数の低減及び表示装置の薄型化を実現した内容が記載されている。
【０００４】
また、特許文献２では、シャーシを基準として表示パネルアッセンブリと、各種基板と、スピーカーを含む全ての内部構成部品を取付けた後にフロントキャビネットとバックキャビネットを取付ける構造とし、表示装置の組立て作業及びメンテナンス作業の簡略化、さらにはフロントキャビネット及びバックキャビネットの形状簡素化を実現した内容が記載されている。
【０００５】
【特許文献１】特開２０００−３１５０５４号公報
【特許文献２】特開２００７−１６３８６１号公報
【発明の開示】
【発明が解決しようとする課題】
【０００６】
特許文献１及び特許文献２の構造によれば、補強板或いはシャーシに表示装置を構成する内部構成部品の一部若しくは全部を取付け一体化することによる組立て作業性の改善が望めるが、換言すれば、内部構成部品の一体化を図るために補強板やシャーシといった部品が必要になることから結果として部品点数が増加する。また、補強板或いはシャーシと一体化した内部構成部品を取付けるだけの大きさでフロントキャビネットとバックキャビネットを形成しており、特に表示パネルの前面側に位置するフロントキャビネットは、後方側より取付けられるバックキャビネットの大きさに依存することから、液晶セルの周縁部分における幅寸法を小さくすることが困難となる。
【０００７】
本発明は上述した点に鑑みてなされたものであって、部品点数を削減して簡素な構造を実現し、組立て作業性が良好で安価な表示装置を提供することにある。また、液晶セル周縁の幅寸法を小さくした狭額縁化を可能とし、意匠性の高い表示装置を提供することにある。
【０００８】
請求項１に係る表示装置は、開口部を有するバックキャビネットと、映像を表示する部材をフロントベゼルとバックシャーシで形成される空間内に内蔵して構成される表示パネルアッセンブリと、を主要構成部材とする表示装置であって、前記バックキャビネットの開口部と前記表示パネルアッセンブリの間で取付手段を設け、前記表示パネルアッセンブリのフロントベゼルと前記バックキャビネットによって筐体を構成することを特徴としている。
【０００９】
また、請求項２に係る表示装置は、開口部を有するバックキャビネットと、液晶セルと光源を含む映像を表示する部材をフロントベゼルとバックシャーシで形成される空間内に内蔵して構成される表示パネルアッセンブリと、電源回路と制御回路を含む基板と、を主要構成部材とする表示装置であって、前記バックキャビネットの開口部に係合フックを形成し、前記表示パネルアッセンブリには前記バックキャビネットの係合フックが係合する溝部を設け、前記表示パネルアッセンブリのバックシャーシおよび／または前記バックキャビネットの内面には前記基板を取付けるための基板取付部を設け、前記表示パネルアッセンブリのフロントベゼルと前記バックキャビネットによって筐体を構成することを特徴としている。
【００１０】
また、請求項３に係る表示装置は、開口部を有するバックキャビネットと、液晶セルと光源を含む映像を表示する部材をフロントベゼルとバックシャーシで形成される空間内に内蔵して構成される表示パネルアッセンブリと、電源回路と制御回路を含む基板と、を主要構成部材とする表示装置であって、前記バックキャビネットにはネジが挿通する孔を形成し、前記表示パネルアッセンブリには前記ネジが螺合するネジ穴を設け、前記表示パネルアッセンブリのバックシャーシおよび／または前記バックキャビネットの内面には前記基板を取付けるための基板取付部を設け、前記表示パネルアッセンブリのフロントベゼルと前記バックキャビネットによって筐体を構成することを特徴としている。
【００１１】
また、請求項４に係る表示装置は、開口部を有するバックキャビネットと、液晶セルと光源を含む映像を表示する部材をフロントベゼルとバックシャーシで形成される空間内に内蔵して構成される表示パネルアッセンブリと、電源回路と制御回路を含む基板と、を主要構成部材とする表示装置であって、前記バックキャビネットの開口部に係合フックを形成し、前記表示パネルアッセンブリには前記バックキャビネットの係合フックが係合する溝部を設け、さらに、前記バックキャビネットにはネジが挿通する孔を形成し、前記表示パネルアッセンブリには前記ネジが螺合するネジ穴を設け、前記表示パネルアッセンブリのバックシャーシおよび／または前記バックキャビネットの内面には前記基板を取付けるための基板取付部を設け、前記表示パネルアッセンブリのフロントベゼルと前記バックキャビネットによって筐体を構成することを特徴としている。
【００１２】
また、請求項５に係る表示装置は、請求項１乃至請求項４の何れか１項に記載の表示装置であって、前記バックキャビネットには、表示パネルアッセンブリを取付ける表示パネルアッセンブリ取付領域と、前記表示パネルアッセンブリ取付領域とは別に音声を出力するためのスピーカーを取付けるスピーカー取付領域を形成し、前記スピーカー取付領域のみを前記バックキャビネットと共に閉塞するスピーカーパネル部材を設け、前記表示パネルアッセンブリのフロントベゼルと前記バックキャビネットと前記スピーカーパネル部材によって筐体を構成することを特徴としている。
【発明の効果】
【００１３】
以上のような本発明の構成によれば、表示パネルアッセンブリのフロントベゼルとバックキャビネット、若しくは前記フロントベゼルとバックキャビネットとスピーカー領域のみを覆うスピーカーパネル部材によって表示装置の筐体を構成するため、従来、表示装置の筐体を構成する部材として必要とされていたフロントキャビネットが不要となる。この結果、バックキャビネットに対し表示パネルアッセンブリ（およびスピーカーパネル部材）を取付けるだけの簡素な構造が実現出来、組立て作業性の向上及び安価な表示装置の提供が可能となる。また、表示パネルアッセンブリのフロントベゼルがそのまま表示装置における液晶セルの周縁の幅となることから、前記液晶セル周縁の狭額縁化が可能となり、意匠性の高い表示装置を提供することが出来る。
【図面の簡単な説明】
【００１４】
【図１】本発明の実施例における表示装置の正面側分解斜視図。
【図２】本発明の実施例におけるバックキャビネットの表示パネルアッセンブリ取付領域およびスピーカー取付領域を示す概略図。
【図３】本発明の実施例における表示パネルアッセンブリの部分拡大斜視図。
【図４】本発明の実施例におけるバックキャビネットの部分拡大斜視図。
【図５】本発明の実施例における表示パネルアッセンブリの構成を示す分解斜視図。
【図６】本発明の実施例における表示装置の背面側分解斜視図。
【図７】本発明の実施例におけるスピーカー取付領域近傍を示す分解斜視図。
【発明を実施するための形態】
【００１５】
以下、本発明を実施するための最良の形態としての実施例を図１〜図８を用いて説明する。なお、本発明はその主旨に反しない範囲で、実施例において説明した構成以外のものに対しても容易に適用可能である。
【００１６】
図１は本発明の実施例における表示装置の正面側分解斜視図、図２は本発明の実施例におけるバックキャビネットの表示パネルアッセンブリ取付領域およびスピーカー取付領域を示す概略図、図３は本発明の実施例における表示パネルアッセンブリの部分拡大斜視図、図４は本発明の実施例におけるバックキャビネットの部分拡大斜視図である。同図の符号１００は表示パネルアッセンブリ、２００はバックキャビネット、４００はスピーカー、５００はスピーカーを取付ける領域を閉塞するスピーカーパネル部材をそれぞれ表しており、本実施例では、前記バックキャビネット２００に表示パネルアッセンブリ１００を取付ける領域（以下、表示パネルアッセンブリ取付領域２１０と称す）とスピーカー４００を取付ける領域（以下、スピーカー取付領域２１１と称す）を形成している。そして、前記バックキャビネット２００の表示パネルアッセンブリ取付領域２１０を閉塞するよう開口部より表示パネルアッセンブリ１００を直接取付ける構造としている。
【００１７】
本実施例における表示パネルアッセンブリ１００の取付け手段について詳述すると、バックキャビネット２００の表示パネルアッセンブリ取付領域２１０における開口部周縁に位置するリブ２０１，２０１，２０１から内方へ向かって係合フック２０２，２０２，・・を延出形成し、表示パネルアッセンブリ１００の周縁部分には前記係合フック２０２，２０２，・・が係合する溝部１０１，１０１，・・を設けている。前記係合フック２０２，２０２，・・が前記溝部１０１，１０１，・・に係合するよう前記バックキャビネット２００の表示パネルアッセンブリ取付領域２１０に前記表示パネルアッセンブリ１００を取付ける。
【００１８】
そして、前記バックキャビネット２００の背面側にはネジが挿通可能な孔２０５，２０５，・・を形成し、前記表示パネルアッセンブリ１００の背面側には前記ネジが螺合するネジ穴１０８，１０８，・・を設けている。前記バックキャビネット２００の表示パネルアッセンブリ取付領域２１０に前記表示パネルアッセンブリ１００を取付けた後で前記孔２０５，２０５，・・からネジを挿通して締結する。
【００１９】
なお、本実施例では表示パネルアッセンブリ１００をバックキャビネット２００に取付ける手段として、溝部１０１と係合フック２０２による係合手段とネジによる締結手段を用いているが、前記係合手段か或いは前記締結手段の何れかの手段を用いて前記表示パネルアッセンブリ１００を前記バックキャビネット２００に取付けるようにしても良い。特に、画面サイズが４０インチ以上の表示装置であれば、前記係合手段と前記締結手段の両方を用いるのが望ましく、逆に画面サイズが１９インチ以下の表示装置であれば、前記係合手段または前記締結手段の何れか一つの手段によって事足りる。以上のように、バックキャビネット２００に対する表示パネルアッセンブリ１００の取付けの手段については特に限定せず、表示装置の大きさや重量に応じて適宜選定すれば良い。
【００２０】
図５は本発明の実施例における表示パネルアッセンブリの構成を示す分解斜視図である。同図の符号１０２はフロントベゼル、１０３は映像を表示する液晶セル、１０４は前記液晶セル１０３の後方側から光を透過する光源、１０５はバックシャーシ、１０６は光源１０４から照射される光を一方端面から受け入れて画面を均一に光らせるための導光板、１０７はバックシャーシ１０５と共に導光板１０６を固定するためのミドルフレームをそれぞれ表しており、前記フロントベゼル１０２と前記バックシャーシ１０５によって形成される空間内に液晶セル１０３と光源１０４含む映像を表示するための部材を取付けている。
【００２１】
図６は本発明の実施例における表示装置の背面側分解斜視図である。同図の符号３０１は表示装置に電源を供給するための電源回路を含む基板（以下、単に電源基板と称す）、３０２は外部から入力される信号を制御して前記表示部へ表示するための制御回路を含む基板（以下、単に制御基板と称す）をそれぞれ表しており、本実施例では電源基板３０１及び制御基板３０２を表示パネルアッセンブリ１００のバックシャーシ１０５に取付けている。すなわち、表示パネルアッセンブリ１００のバックシャーシ１０５に基板を取付けるための基板取付部１０９，１０９，・・を形成し、電源基板３０１及び制御基板３０２を前記基板取付部１０９，１０９，・・に予め取付けた状態で、前記表示パネルアッセンブリ１００をバックキャビネット２００に取付けることで、表示装置の組立て作業を簡略化することが出来る。なお、電源基板３０１および制御基板３０２の取付けは本実施例の構成に限定するものではなく、例えば、バックキャビネット２００の内面側に基板取付部１０９，１０９，・・を形成して前記基板を取付ける構成としても良い。この場合、取付ける対象が表示パネルアッセンブリ１００からバックキャビネット１０２に代わるだけであり、組立て時の作業性に大きな影響を与えることはない。また、本実施例では電源回路と制御回路を別々の基板とした構成で説明したが、電源回路と制御回路を１つの基板にまとめた構成であっても良い。
【００２２】
図７は本発明の実施例におけるスピーカーの取付領域近傍を示す分解斜視図である。同図の符号４００は音声を出力するためのスピーカー、５００はスピーカー取付領域２１１を閉塞するスピーカーパネル部材をそれぞれ表しており、本実施例ではバックキャビネット２００の下方にスピーカー取付領域２１１を形成し、前記スピーカー取付領域２１１内にスピーカー４００を取付けるためのスピーカー取付部２０３を設けている。そして、スピーカー取付部２０３にスピーカー４００をネジ止めなどによって取付けた後、スピーカー取付領域２１１を閉塞するスピーカーパネル部材５００を取付ける。なお、前記スピーカーパネル部材５００を取付ける手段として、本実施例ではネジ止めによって行われている。すなわち、バックキャビネット２００の背面側にはネジが挿通可能な孔２０６，２０６を形成し、前記スピーカーパネル部材５００の背面側には前記ネジが螺合するボス５０１，５０１を設けている。そして、前記バックキャビネット２００のスピーカー取付領域２１１に前記スピーカーパネル部材５００を取付けた後で前記孔２０６，２０６からネジを挿通して締結する（図６参照）。
【００２３】
なお、本実施例ではバックキャビネット２００の表示パネルアッセンブリ１００が取付けられる表示パネルアッセンブリ取付領域２１０とは別にスピーカーが取付けられるスピーカー取付領域２１１を形成し、前記スピーカー取付領域２１１の正面側を閉塞するスピーカーパネル部材５００を設けた構成としているが、例えば、表示パネルアッセンブリ取付領域２１０にスピーカー４００を配設する構成としても良い。この場合、前記スピーカーパネル部材５００は不要となるが、前記スピーカー４００の出力音を表示装置の外部へ出すための微細孔を前記バックキャビネット２００に形成するのが望ましい。
【００２４】
以上、本発明の一実施例について詳述したが、本発明は前記実施例に限定されるものではなく、本発明の主旨の範囲内で種々の変形実施が可能である。
【符号の説明】
【００２５】
１００  表示パネルアッセンブリ
１０１  溝部
１０２  フロントベゼル
１０３  液晶セル
１０４  光源
１０５  バックシャーシ
１０６  導光板
１０７  ミドルフレーム
１０８  ネジ穴
１０９  基板取付部
２００  バックキャビネット
２０１  リブ
２０２  係合フック
２０３  スピーカー取付部
２０４  孔
２０５  孔
２１０  表示パネルアッセンブリ取付領域
２１１  スピーカー取付領域
３０１  電源基板
３０２  制御基板
４００  スピーカー
５００  スピーカーパネル部材
５０１  ボス
【図１】
2012068328.tif 000003
【図２】
2012068328.tif 000004
【図３】
2012068328.tif 000005
【図４】
2012068328.tif 000006
【図５】
2012068328.tif 000007
【図６】
2012068328.tif 000008
【図７】
2012068328.tif 000009
【手続補正書】
【提出日】平成22年11月22日(2010.11.22)
【手続補正１】
【補正対象書類名】特許請求の範囲
【補正対象項目名】全文
【補正方法】変更
【補正の内容】
【特許請求の範囲】
【請求項１】
開口部を有するバックキャビネットと、映像を表示する部材とフロントベゼルとバックシャーシで構成され、前記フロントベゼルと前記バックシャーシで形成される空間内に前記映像を表示する部材を内蔵するようにユニット化した表示パネルアッセンブリと、を主要構成部材とする表示装置であって、前記バックキャビネットの開口部と前記表示パネルアッセンブリの間で取付手段を設け、前記表示パネルアッセンブリのフロントベゼルと前記バックキャビネットによって筐体を構成することを特徴とする表示装置。
【請求項２】
開口部を有するバックキャビネットと、液晶セルと光源を含む映像を表示する部材とフロントベゼルとバックシャーシで構成され、前記フロントベゼルと前記バックシャーシで形成される空間内に前記映像を表示する部材を内蔵するようにユニット化した表示パネルアッセンブリと、電源回路と制御回路を含む基板と、を主要構成部材とする表示装置であって、前記バックキャビネットの開口部に係合フックを形成し、前記表示パネルアッセンブリには前記バックキャビネットの係合フックが係合する溝部を設け、前記表示パネルアッセンブリのバックシャーシおよび／または前記バックキャビネットの内面には前記基板を取付けるための基板取付部を設け、前記表示パネルアッセンブリのフロントベゼルと前記バックキャビネットによって筐体を構成することを特徴とする表示装置。
【請求項３】
開口部を有するバックキャビネットと、液晶セルと光源を含む映像を表示する部材とフロントベゼルとバックシャーシで構成され、前記フロントベゼルと前記バックシャーシで形成される空間内に前記映像を表示する部材を内蔵するようにユニット化した表示パネルアッセンブリと、電源回路と制御回路を含む基板と、を主要構成部材とする表示装置であって、前記バックキャビネットにはネジが挿通する孔を形成し、前記表示パネルアッセンブリには前記ネジが螺合するネジ穴を設け、前記表示パネルアッセンブリのバックシャーシおよび／または前記バックキャビネットの内面には前記基板を取付けるための基板取付部を設け、前記表示パネルアッセンブリのフロントベゼルと前記バックキャビネットによって筐体を構成することを特徴とする表示装置。
【請求項４】
開口部を有するバックキャビネットと、液晶セルと光源を含む映像を表示する部材とフロントベゼルとバックシャーシで構成され、前記フロントベゼルと前記バックシャーシで形成される空間内に前記映像を表示する部材を内蔵するようにユニット化した表示パネルアッセンブリと、電源回路と制御回路を含む基板と、を主要構成部材とする表示装置であって、前記バックキャビネットの開口部に係合フックを形成し、前記表示パネルアッセンブリには前記バックキャビネットの係合フックが係合する溝部を設け、さらに、前記バックキャビネットにはネジが挿通する孔を形成し、前記表示パネルアッセンブリには前記ネジが螺合するネジ穴を設け、前記表示パネルアッセンブリのバックシャーシおよび／または前記バックキャビネットの内面には前記基板を取付けるための基板取付部を設け、前記表示パネルアッセンブリのフロントベゼルと前記バックキャビネットによって筐体を構成することを特徴とする表示装置。
【請求項５】
前記バックキャビネットには、表示パネルアッセンブリを取付ける表示パネルアッセンブリ取付領域と、前記表示パネルアッセンブリ取付領域とは別に音声を出力するためのスピーカーを取付けるスピーカー取付領域を形成し、前記スピーカー取付領域のみを前記バックキャビネットと共に閉塞するスピーカーパネル部材を設け、前記表示パネルアッセンブリのフロントベゼルと前記バックキャビネットと前記スピーカーパネル部材によって筐体を構成することを特徴とする請求項１乃至請求項４の何れか１項に記載の表示装置。
【手続補正２】
【補正対象書類名】明細書
【補正対象項目名】全文
【補正方法】変更
【補正の内容】
【発明の詳細な説明】
【技術分野】
【０００１】
本発明は、映像を表示するモニターやテレビジョン受像機などの表示装置に関する。
【背景技術】
【０００２】
近年の表示装置は、高さ寸法及び幅寸法に比べて奥行き寸法が小さい液晶セルを備えた薄型の表示装置が主流となっている。このような薄型の表示装置には、電源を供給するための回路基板や、外部から入力される信号を制御して前記液晶セルに映像を表示させるための回路基板などが取付けられており、構造の簡素化や表示装置の軽量化、薄型化、或いは意匠性の向上を図るためにさまざまな工夫が施されている。
【０００３】
例えば、特許文献１では、表示窓を備えたフロントキャビネットと、このフロントキャビネットの後方に配置されるバックキャビネットによって構成される筐体の内部に、補強板を基準として、映像を表示する部材をフロントベゼルとバックシャーシで形成される空間内に内蔵して構成される表示パネルアッセンブリと各種回路基板を取付け一体化したものを取付ける構造とし、表示装置の組立て工数の低減及び表示装置の薄型化を実現した内容が記載されている。
【０００４】
また、特許文献２では、シャーシを基準として表示パネルアッセンブリと、各種基板と、スピーカーを含む全ての内部構成部品を取付けた後にフロントキャビネットとバックキャビネットを取付ける構造とし、表示装置の組立て作業及びメンテナンス作業の簡略化、さらにはフロントキャビネット及びバックキャビネットの形状簡素化を実現した内容が記載されている。
【０００５】
【特許文献１】特開２０００−３１５０５４号公報
【特許文献２】特開２００７−１６３８６１号公報
【発明の開示】
【発明が解決しようとする課題】
【０００６】
特許文献１及び特許文献２の構造によれば、補強板或いはシャーシに表示装置を構成する内部構成部品の一部若しくは全部を取付け一体化することによる組立て作業性の改善が望めるが、換言すれば、内部構成部品の一体化を図るために補強板やシャーシといった部品が必要になることから結果として部品点数が増加する。また、補強板或いはシャーシと一体化した内部構成部品を取付けるだけの大きさでフロントキャビネットとバックキャビネットを形成しており、特に表示パネルの前面側に位置するフロントキャビネットは、後方側より取付けられるバックキャビネットの大きさに依存することから、液晶セルの周縁部分における幅寸法を小さくすることが困難となる。
【０００７】
本発明は上述した点に鑑みてなされたものであって、部品点数を削減して簡素な構造を実現し、組立て作業性が良好で安価な表示装置を提供することにある。また、液晶セル周縁の幅寸法を小さくした狭額縁化を可能とし、意匠性の高い表示装置を提供することにある。
【０００８】
請求項１に係る表示装置は、開口部を有するバックキャビネットと、映像を表示する部材とフロントベゼルとバックシャーシで構成され、前記フロントベゼルと前記バックシャーシで形成される空間内に前記映像を表示する部材を内蔵するようにユニット化した表示パネルアッセンブリと、を主要構成部材とする表示装置であって、前記バックキャビネットの開口部と前記表示パネルアッセンブリの間で取付手段を設け、前記表示パネルアッセンブリのフロントベゼルと前記バックキャビネットによって筐体を構成することを特徴としている。
【０００９】
また、請求項２に係る表示装置は、開口部を有するバックキャビネットと、液晶セルと光源を含む映像を表示する部材とフロントベゼルとバックシャーシで構成され、前記フロントベゼルと前記バックシャーシで形成される空間内に前記映像を表示する部材を内蔵するようにユニット化した表示パネルアッセンブリと、電源回路と制御回路を含む基板と、を主要構成部材とする表示装置であって、前記バックキャビネットの開口部に係合フックを形成し、前記表示パネルアッセンブリには前記バックキャビネットの係合フックが係合する溝部を設け、前記表示パネルアッセンブリのバックシャーシおよび／または前記バックキャビネットの内面には前記基板を取付けるための基板取付部を設け、前記表示パネルアッセンブリのフロントベゼルと前記バックキャビネットによって筐体を構成することを特徴としている。
【００１０】
また、請求項３に係る表示装置は、開口部を有するバックキャビネットと、液晶セルと光源を含む映像を表示する部材とフロントベゼルとバックシャーシで構成され、前記フロントベゼルと前記バックシャーシで形成される空間内に前記映像を表示する部材を内蔵するようにユニット化した表示パネルアッセンブリと、電源回路と制御回路を含む基板と、を主要構成部材とする表示装置であって、前記バックキャビネットにはネジが挿通する孔を形成し、前記表示パネルアッセンブリには前記ネジが螺合するネジ穴を設け、前記表示パネルアッセンブリのバックシャーシおよび／または前記バックキャビネットの内面には前記基板を取付けるための基板取付部を設け、前記表示パネルアッセンブリのフロントベゼルと前記バックキャビネットによって筐体を構成することを特徴としている。
【００１１】
また、請求項４に係る表示装置は、開口部を有するバックキャビネットと、液晶セルと光源を含む映像を表示する部材とフロントベゼルとバックシャーシで構成され、前記フロントベゼルと前記バックシャーシで形成される空間内に前記映像を表示する部材を内蔵するようにユニット化した表示パネルアッセンブリと、電源回路と制御回路を含む基板と、を主要構成部材とする表示装置であって、前記バックキャビネットの開口部に係合フックを形成し、前記表示パネルアッセンブリには前記バックキャビネットの係合フックが係合する溝部を設け、さらに、前記バックキャビネットにはネジが挿通する孔を形成し、前記表示パネルアッセンブリには前記ネジが螺合するネジ穴を設け、前記表示パネルアッセンブリのバックシャーシおよび／または前記バックキャビネットの内面には前記基板を取付けるための基板取付部を設け、前記表示パネルアッセンブリのフロントベゼルと前記バックキャビネットによって筐体を構成することを特徴としている。
【００１２】
また、請求項５に係る表示装置は、請求項１乃至請求項４の何れか１項に記載の表示装置であって、前記バックキャビネットには、表示パネルアッセンブリを取付ける表示パネルアッセンブリ取付領域と、前記表示パネルアッセンブリ取付領域とは別に音声を出力するためのスピーカーを取付けるスピーカー取付領域を形成し、前記スピーカー取付領域のみを前記バックキャビネットと共に閉塞するスピーカーパネル部材を設け、前記表示パネルアッセンブリのフロントベゼルと前記バックキャビネットと前記スピーカーパネル部材によって筐体を構成することを特徴としている。
【発明の効果】
【００１３】
以上のような本発明の構成によれば、表示パネルアッセンブリのフロントベゼルとバックキャビネット、若しくは前記フロントベゼルとバックキャビネットとスピーカー領域のみを覆うスピーカーパネル部材によって表示装置の筐体を構成するため、従来、表示装置の筐体を構成する部材として必要とされていたフロントキャビネットが不要となる。この結果、バックキャビネットに対し表示パネルアッセンブリ（およびスピーカーパネル部材）を取付けるだけの簡素な構造が実現出来、組立て作業性の向上及び安価な表示装置の提供が可能となる。また、表示パネルアッセンブリのフロントベゼルがそのまま表示装置における液晶セルの周縁の幅となることから、前記液晶セル周縁の狭額縁化が可能となり、意匠性の高い表示装置を提供することが出来る。
【図面の簡単な説明】
【００１４】
【図１】本発明の実施例における表示装置の正面側分解斜視図。
【図２】本発明の実施例におけるバックキャビネットの表示パネルアッセンブリ取付領域およびスピーカー取付領域を示す概略図。
【図３】本発明の実施例における表示パネルアッセンブリの部分拡大斜視図。
【図４】本発明の実施例におけるバックキャビネットの部分拡大斜視図。
【図５】本発明の実施例における表示パネルアッセンブリの構成を示す分解斜視図。
【図６】本発明の実施例における表示装置の背面側分解斜視図。
【図７】本発明の実施例におけるスピーカー取付領域近傍を示す分解斜視図。
【発明を実施するための形態】
【００１５】
以下、本発明を実施するための最良の形態としての実施例を図１〜図８を用いて説明する。なお、本発明はその主旨に反しない範囲で、実施例において説明した構成以外のものに対しても容易に適用可能である。
【００１６】
図１は本発明の実施例における表示装置の正面側分解斜視図、図２は本発明の実施例におけるバックキャビネットの表示パネルアッセンブリ取付領域およびスピーカー取付領域を示す概略図、図３は本発明の実施例における表示パネルアッセンブリの部分拡大斜視図、図４は本発明の実施例におけるバックキャビネットの部分拡大斜視図である。同図の符号１００は表示パネルアッセンブリ、２００はバックキャビネット、４００はスピーカー、５００はスピーカーを取付ける領域を閉塞するスピーカーパネル部材をそれぞれ表しており、本実施例では、前記バックキャビネット２００に表示パネルアッセンブリ１００を取付ける領域（以下、表示パネルアッセンブリ取付領域２１０と称す）とスピーカー４００を取付ける領域（以下、スピーカー取付領域２１１と称す）を形成している。そして、前記バックキャビネット２００の表示パネルアッセンブリ取付領域２１０を閉塞するよう開口部より表示パネルアッセンブリ１００を直接取付ける構造としている。
【００１７】
本実施例における表示パネルアッセンブリ１００の取付け手段について詳述すると、バックキャビネット２００の表示パネルアッセンブリ取付領域２１０における開口部周縁に位置するリブ２０１，２０１，２０１から内方へ向かって係合フック２０２，２０２，・・を延出形成し、表示パネルアッセンブリ１００の周縁部分には前記係合フック２０２，２０２，・・が係合する溝部１０１，１０１，・・を設けている。前記係合フック２０２，２０２，・・が前記溝部１０１，１０１，・・に係合するよう前記バックキャビネット２００の表示パネルアッセンブリ取付領域２１０に前記表示パネルアッセンブリ１００を取付ける。
【００１８】
そして、前記バックキャビネット２００の背面側にはネジが挿通可能な孔２０５，２０５，・・を形成し、前記表示パネルアッセンブリ１００の背面側には前記ネジが螺合するネジ穴１０８，１０８，・・を設けている。前記バックキャビネット２００の表示パネルアッセンブリ取付領域２１０に前記表示パネルアッセンブリ１００を取付けた後で前記孔２０５，２０５，・・からネジを挿通して締結する。
【００１９】
なお、本実施例では表示パネルアッセンブリ１００をバックキャビネット２００に取付ける手段として、溝部１０１と係合フック２０２による係合手段とネジによる締結手段を用いているが、前記係合手段か或いは前記締結手段の何れかの手段を用いて前記表示パネルアッセンブリ１００を前記バックキャビネット２００に取付けるようにしても良い。特に、画面サイズが４０インチ以上の表示装置であれば、前記係合手段と前記締結手段の両方を用いるのが望ましく、逆に画面サイズが１９インチ以下の表示装置であれば、前記係合手段または前記締結手段の何れか一つの手段によって事足りる。以上のように、バックキャビネット２００に対する表示パネルアッセンブリ１００の取付けの手段については特に限定せず、表示装置の大きさや重量に応じて適宜選定すれば良い。
【００２０】
図５は本発明の実施例における表示パネルアッセンブリの構成を示す分解斜視図である。同図の符号１０２はフロントベゼル、１０３は映像を表示する液晶セル、１０４は前記液晶セル１０３の後方側から光を透過する光源、１０５はバックシャーシ、１０６は光源１０４から照射される光を一方端面から受け入れて画面を均一に光らせるための導光板、１０７はバックシャーシ１０５と共に導光板１０６を固定するためのミドルフレームをそれぞれ表しており、前記フロントベゼル１０２と前記バックシャーシ１０５によって形成される空間内に液晶セル１０３と光源１０４含む映像を表示するための部材を取付けている。
【００２１】
図６は本発明の実施例における表示装置の背面側分解斜視図である。同図の符号３０１は表示装置に電源を供給するための電源回路を含む基板（以下、単に電源基板と称す）、３０２は外部から入力される信号を制御して前記表示部へ表示するための制御回路を含む基板（以下、単に制御基板と称す）をそれぞれ表しており、本実施例では電源基板３０１及び制御基板３０２を表示パネルアッセンブリ１００のバックシャーシ１０５に取付けている。すなわち、表示パネルアッセンブリ１００のバックシャーシ１０５に基板を取付けるための基板取付部１０９，１０９，・・を形成し、電源基板３０１及び制御基板３０２を前記基板取付部１０９，１０９，・・に予め取付けた状態で、前記表示パネルアッセンブリ１００をバックキャビネット２００に取付けることで、表示装置の組立て作業を簡略化することが出来る。なお、電源基板３０１および制御基板３０２の取付けは本実施例の構成に限定するものではなく、例えば、バックキャビネット２００の内面側に基板取付部１０９，１０９，・・を形成して前記基板を取付ける構成としても良い。この場合、取付ける対象が表示パネルアッセンブリ１００からバックキャビネット１０２に代わるだけであり、組立て時の作業性に大きな影響を与えることはない。また、本実施例では電源回路と制御回路を別々の基板とした構成で説明したが、電源回路と制御回路を１つの基板にまとめた構成であっても良い。
【００２２】
図７は本発明の実施例におけるスピーカーの取付領域近傍を示す分解斜視図である。同図の符号４００は音声を出力するためのスピーカー、５００はスピーカー取付領域２１１を閉塞するスピーカーパネル部材をそれぞれ表しており、本実施例ではバックキャビネット２００の下方にスピーカー取付領域２１１を形成し、前記スピーカー取付領域２１１内にスピーカー４００を取付けるためのスピーカー取付部２０３を設けている。そして、スピーカー取付部２０３にスピーカー４００をネジ止めなどによって取付けた後、スピーカー取付領域２１１を閉塞するスピーカーパネル部材５００を取付ける。なお、前記スピーカーパネル部材５００を取付ける手段として、本実施例ではネジ止めによって行われている。すなわち、バックキャビネット２００の背面側にはネジが挿通可能な孔２０６，２０６を形成し、前記スピーカーパネル部材５００の背面側には前記ネジが螺合するボス５０１，５０１を設けている。そして、前記バックキャビネット２００のスピーカー取付領域２１１に前記スピーカーパネル部材５００を取付けた後で前記孔２０６，２０６からネジを挿通して締結する（図６参照）。
【００２３】
なお、本実施例ではバックキャビネット２００の表示パネルアッセンブリ１００が取付けられる表示パネルアッセンブリ取付領域２１０とは別にスピーカーが取付けられるスピーカー取付領域２１１を形成し、前記スピーカー取付領域２１１の正面側を閉塞するスピーカーパネル部材５００を設けた構成としているが、例えば、表示パネルアッセンブリ取付領域２１０にスピーカー４００を配設する構成としても良い。この場合、前記スピーカーパネル部材５００は不要となるが、前記スピーカー４００の出力音を表示装置の外部へ出すための微細孔を前記バックキャビネット２００に形成するのが望ましい。
【００２４】
以上、本発明の一実施例について詳述したが、本発明は前記実施例に限定されるものではなく、本発明の主旨の範囲内で種々の変形実施が可能である。
【符号の説明】
【００２５】
１００  表示パネルアッセンブリ
１０１  溝部
１０２  フロントベゼル
１０３  液晶セル
１０４  光源
１０５  バックシャーシ
１０６  導光板
１０７  ミドルフレーム
１０８  ネジ穴
１０９  基板取付部
２００  バックキャビネット
２０１  リブ
２０２  係合フック
２０３  スピーカー取付部
２０４  孔
２０５  孔
２１０  表示パネルアッセンブリ取付領域
２１１  スピーカー取付領域
３０１  電源基板
３０２  制御基板
４００  スピーカー
５００  スピーカーパネル部材
５０１  ボス
【手続補正書】
【提出日】平成23年2月14日(2011.2.14)
【手続補正１】
【補正対象書類名】特許請求の範囲
【補正対象項目名】全文
【補正方法】変更
【補正の内容】
【特許請求の範囲】
【請求項１】
開口部を有するバックキャビネットと、映像を表示する部材とフロントベゼルとバックシャーシで構成され、前記フロントベゼルと前記バックシャーシで形成される空間内に前記映像を表示する部材を内蔵するようにユニット化した表示パネルアッセンブリと、を主要構成部材とする表示装置であって、前記バックキャビネットの開口部周縁にはリブを形成し、前記リブの奥側には前記表示パネルアッセンブリの背面側周縁が当接する段差を設け、前記バックキャビネットの開口部と前記表示パネルアッセンブリの間で取付手段を設け、前記表示パネルアッセンブリのフロントベゼルと前記バックキャビネットによって筐体を構成することを特徴とする表示装置。
【請求項２】
開口部を有するバックキャビネットと、液晶セルと光源を含む映像を表示する部材とフロントベゼルとバックシャーシで構成され、前記フロントベゼルと前記バックシャーシで形成される空間内に前記映像を表示する部材を内蔵するようにユニット化した表示パネルアッセンブリと、電源回路と制御回路を含む基板と、を主要構成部材とする表示装置であって、前記バックキャビネットの開口部周縁にはリブを形成し、前記リブから内方へ向かって係合フックを形成し、前記リブの奥側には前記表示パネルアッセンブリの背面側周縁が当接する段差を設け、前記表示パネルアッセンブリの周縁部分には前記バックキャビネットの係合フックが係合する溝部を設け、前記表示パネルアッセンブリのバックシャーシおよび／または前記バックキャビネットの内面には前記基板を取付けるための基板取付部を設け、前記表示パネルアッセンブリのフロントベゼルと前記バックキャビネットによって筐体を構成することを特徴とする表示装置。
【請求項３】
開口部を有するバックキャビネットと、液晶セルと光源を含む映像を表示する部材とフロントベゼルとバックシャーシで構成され、前記フロントベゼルと前記バックシャーシで形成される空間内に前記映像を表示する部材を内蔵するようにユニット化した表示パネルアッセンブリと、電源回路と制御回路を含む基板と、を主要構成部材とする表示装置であって、前記バックキャビネットの開口部周縁にはリブを形成し、前記リブの奥側には前記表示パネルアッセンブリの背面側周縁が当接する段差を設け、前記バックキャビネットの背面側にはネジが挿通する孔を形成し、前記表示パネルアッセンブリの背面側には前記バックキャビネットに前記表示パネルアッセンブリを取付けた後で前記孔から挿通された前記ネジが螺合するネジ穴を設け、前記表示パネルアッセンブリのバックシャーシおよび／または前記バックキャビネットの内面には前記基板を取付けるための基板取付部を設け、前記表示パネルアッセンブリのフロントベゼルと前記バックキャビネットによって筐体を構成することを特徴とする表示装置。
【請求項４】
開口部を有するバックキャビネットと、液晶セルと光源を含む映像を表示する部材とフロントベゼルとバックシャーシで構成され、前記フロントベゼルと前記バックシャーシで形成される空間内に前記映像を表示する部材を内蔵するようにユニット化した表示パネルアッセンブリと、電源回路と制御回路を含む基板と、を主要構成部材とする表示装置であって、前記バックキャビネットの開口部周縁にはリブを形成し、前記リブから内方へ向かって係合フックを形成し、前記リブの奥側には前記表示パネルアッセンブリの背面側周縁が当接する段差を設け、前記表示パネルアッセンブリの周縁部分には前記バックキャビネットの係合フックが係合する溝部を設け、さらに、前記バックキャビネットの背面側にはネジが挿通する孔を形成し、前記表示パネルアッセンブリの背面側には前記バックキャビネットに前記表示パネルアッセンブリを取付けた後で前記孔から挿通された前記ネジが螺合するネジ穴を設け、前記表示パネルアッセンブリのバックシャーシおよび／または前記バックキャビネットの内面には前記基板を取付けるための基板取付部を設け、前記表示パネルアッセンブリのフロントベゼルと前記バックキャビネットによって筐体を構成することを特徴とする表示装置。
【請求項５】
前記バックキャビネットには、開口部周縁がリブで囲まれた表示パネルアッセンブリを取付ける表示パネルアッセンブリ取付領域と、前記表示パネルアッセンブリ取付領域とは別に音声を出力するためのスピーカーを取付けるスピーカー取付領域を一体に形成し、前記スピーカー取付領域のみを前記バックキャビネットと共に閉塞するスピーカーパネル部材を設け、前記表示パネルアッセンブリのフロントベゼルと前記バックキャビネットと前記スピーカーパネル部材によって筐体を構成することを特徴とする請求項１乃至請求項４の何れか１項に記載の表示装置。
【手続補正２】
【補正対象書類名】明細書
【補正対象項目名】全文
【補正方法】変更
【補正の内容】
【発明の詳細な説明】
【技術分野】
【０００１】
本発明は、映像を表示するモニターやテレビジョン受像機などの表示装置に関する。
【背景技術】
【０００２】
近年の表示装置は、高さ寸法及び幅寸法に比べて奥行き寸法が小さい液晶セルを備えた薄型の表示装置が主流となっている。このような薄型の表示装置には、電源を供給するための回路基板や、外部から入力される信号を制御して前記液晶セルに映像を表示させるための回路基板などが取付けられており、構造の簡素化や表示装置の軽量化、薄型化、或いは意匠性の向上を図るためにさまざまな工夫が施されている。
【０００３】
例えば、特許文献１では、表示窓を備えたフロントキャビネットと、このフロントキャビネットの後方に配置されるバックキャビネットによって構成される筐体の内部に、補強板を基準として、映像を表示する部材をフロントベゼルとバックシャーシで形成される空間内に内蔵して構成される表示パネルアッセンブリと各種回路基板を取付け一体化したものを取付ける構造とし、表示装置の組立て工数の低減及び表示装置の薄型化を実現した内容が記載されている。
【０００４】
また、特許文献２では、シャーシを基準として表示パネルアッセンブリと、各種基板と、スピーカーを含む全ての内部構成部品を取付けた後にフロントキャビネットとバックキャビネットを取付ける構造とし、表示装置の組立て作業及びメンテナンス作業の簡略化、さらにはフロントキャビネット及びバックキャビネットの形状簡素化を実現した内容が記載されている。
【０００５】
【特許文献１】特開２０００−３１５０５４号公報
【特許文献２】特開２００７−１６３８６１号公報
【発明の開示】
【発明が解決しようとする課題】
【０００６】
特許文献１及び特許文献２の構造によれば、補強板或いはシャーシに表示装置を構成する内部構成部品の一部若しくは全部を取付け一体化することによる組立て作業性の改善が望めるが、換言すれば、内部構成部品の一体化を図るために補強板やシャーシといった部品が必要になることから結果として部品点数が増加する。また、補強板或いはシャーシと一体化した内部構成部品を取付けるだけの大きさでフロントキャビネットとバックキャビネットを形成しており、特に表示パネルの前面側に位置するフロントキャビネットは、後方側より取付けられるバックキャビネットの大きさに依存することから、液晶セルの周縁部分における幅寸法を小さくすることが困難となる。
【０００７】
本発明は上述した点に鑑みてなされたものであって、部品点数を削減して簡素な構造を実現し、組立て作業性が良好で安価な表示装置を提供することにある。また、液晶セル周縁の幅寸法を小さくした狭額縁化を可能とし、意匠性の高い表示装置を提供することにある。
【０００８】
請求項１に係る表示装置は、開口部を有するバックキャビネットと、映像を表示する部材とフロントベゼルとバックシャーシで構成され、前記フロントベゼルと前記バックシャーシで形成される空間内に前記映像を表示する部材を内蔵するようにユニット化した表示パネルアッセンブリと、を主要構成部材とする表示装置であって、前記バックキャビネットの開口部周縁にはリブを形成し、前記リブの奥側には前記表示パネルアッセンブリの背面側周縁が当接する段差を設け、前記バックキャビネットの開口部と前記表示パネルアッセンブリの間で取付手段を設け、前記表示パネルアッセンブリのフロントベゼルと前記バックキャビネットによって筐体を構成することを特徴としている。
【０００９】
また、請求項２に係る表示装置は、開口部を有するバックキャビネットと、液晶セルと光源を含む映像を表示する部材とフロントベゼルとバックシャーシで構成され、前記フロントベゼルと前記バックシャーシで形成される空間内に前記映像を表示する部材を内蔵するようにユニット化した表示パネルアッセンブリと、電源回路と制御回路を含む基板と、を主要構成部材とする表示装置であって、前記バックキャビネットの開口部周縁にはリブを形成し、前記リブから内方へ向かって係合フックを形成し、前記リブの奥側には前記表示パネルアッセンブリの背面側周縁が当接する段差を設け、前記表示パネルアッセンブリの周縁部分には前記バックキャビネットの係合フックが係合する溝部を設け、前記表示パネルアッセンブリのバックシャーシおよび／または前記バックキャビネットの内面には前記基板を取付けるための基板取付部を設け、前記表示パネルアッセンブリのフロントベゼルと前記バックキャビネットによって筐体を構成することを特徴としている。
【００１０】
また、請求項３に係る表示装置は、開口部を有するバックキャビネットと、液晶セルと光源を含む映像を表示する部材とフロントベゼルとバックシャーシで構成され、前記フロントベゼルと前記バックシャーシで形成される空間内に前記映像を表示する部材を内蔵するようにユニット化した表示パネルアッセンブリと、電源回路と制御回路を含む基板と、を主要構成部材とする表示装置であって、前記バックキャビネットの開口部周縁にはリブを形成し、前記リブの奥側には前記表示パネルアッセンブリの背面側周縁が当接する段差を設け、前記バックキャビネットの背面側にはネジが挿通する孔を形成し、前記表示パネルアッセンブリの背面側には前記バックキャビネットに前記表示パネルアッセンブリを取付けた後で前記孔から挿通された前記ネジが螺合するネジ穴を設け、前記表示パネルアッセンブリのバックシャーシおよび／または前記バックキャビネットの内面には前記基板を取付けるための基板取付部を設け、前記表示パネルアッセンブリのフロントベゼルと前記バックキャビネットによって筐体を構成することを特徴としている。
【００１１】
また、請求項４に係る表示装置は、開口部を有するバックキャビネットと、液晶セルと光源を含む映像を表示する部材とフロントベゼルとバックシャーシで構成され、前記フロントベゼルと前記バックシャーシで形成される空間内に前記映像を表示する部材を内蔵するようにユニット化した表示パネルアッセンブリと、電源回路と制御回路を含む基板と、を主要構成部材とする表示装置であって、前記バックキャビネットの開口部周縁にはリブを形成し、前記リブから内方へ向かって係合フックを形成し、前記リブの奥側には前記表示パネルアッセンブリの背面側周縁が当接する段差を設け、前記表示パネルアッセンブリの周縁部分には前記バックキャビネットの係合フックが係合する溝部を設け、さらに、前記バックキャビネットの背面側にはネジが挿通する孔を形成し、前記表示パネルアッセンブリの背面側には前記バックキャビネットに前記表示パネルアッセンブリを取付けた後で前記孔から挿通された前記ネジが螺合するネジ穴を設け、前記表示パネルアッセンブリのバックシャーシおよび／または前記バックキャビネットの内面には前記基板を取付けるための基板取付部を設け、前記表示パネルアッセンブリのフロントベゼルと前記バックキャビネットによって筐体を構成することを特徴としている。
【００１２】
また、請求項５に係る表示装置は、請求項１乃至請求項４の何れか１項に記載の表示装置であって、前記バックキャビネットには、開口部周縁がリブで囲まれた表示パネルアッセンブリを取付ける表示パネルアッセンブリ取付領域と、前記表示パネルアッセンブリ取付領域とは別に音声を出力するためのスピーカーを取付けるスピーカー取付領域を一体に形成し、前記スピーカー取付領域のみを前記バックキャビネットと共に閉塞するスピーカーパネル部材を設け、前記表示パネルアッセンブリのフロントベゼルと前記バックキャビネットと前記スピーカーパネル部材によって筐体を構成することを特徴としている。
【発明の効果】
【００１３】
以上のような本発明の構成によれば、表示パネルアッセンブリのフロントベゼルとバックキャビネット、若しくは前記フロントベゼルとバックキャビネットとスピーカー領域のみを覆うスピーカーパネル部材によって表示装置の筐体を構成するため、従来、表示装置の筐体を構成する部材として必要とされていたフロントキャビネットが不要となる。この結果、バックキャビネットに対し表示パネルアッセンブリ（およびスピーカーパネル部材）を取付けるだけの簡素な構造が実現出来、組立て作業性の向上及び安価な表示装置の提供が可能となる。また、表示パネルアッセンブリのフロントベゼルがそのまま表示装置における液晶セルの周縁の幅となることから、前記液晶セル周縁の狭額縁化が可能となり、意匠性の高い表示装置を提供することが出来る。
【図面の簡単な説明】
【００１４】
【図１】本発明の実施例における表示装置の正面側分解斜視図。
【図２】本発明の実施例におけるバックキャビネットの表示パネルアッセンブリ取付領域およびスピーカー取付領域を示す概略図。
【図３】本発明の実施例における表示パネルアッセンブリの部分拡大斜視図。
【図４】本発明の実施例におけるバックキャビネットの部分拡大斜視図。
【図５】本発明の実施例における表示パネルアッセンブリの構成を示す分解斜視図。
【図６】本発明の実施例における表示装置の背面側分解斜視図。
【図７】本発明の実施例におけるスピーカー取付領域近傍を示す分解斜視図。
【発明を実施するための形態】
【００１５】
以下、本発明を実施するための最良の形態としての実施例を図１〜図８を用いて説明する。なお、本発明はその主旨に反しない範囲で、実施例において説明した構成以外のものに対しても容易に適用可能である。
【００１６】
図１は本発明の実施例における表示装置の正面側分解斜視図、図２は本発明の実施例におけるバックキャビネットの表示パネルアッセンブリ取付領域およびスピーカー取付領域を示す概略図、図３は本発明の実施例における表示パネルアッセンブリの部分拡大斜視図、図４は本発明の実施例におけるバックキャビネットの部分拡大斜視図である。同図の符号１００は表示パネルアッセンブリ、２００はバックキャビネット、４００はスピーカー、５００はスピーカーを取付ける領域を閉塞するスピーカーパネル部材をそれぞれ表しており、本実施例では、前記バックキャビネット２００に表示パネルアッセンブリ１００を取付ける領域（以下、表示パネルアッセンブリ取付領域２１０と称す）とスピーカー４００を取付ける領域（以下、スピーカー取付領域２１１と称す）を形成している。そして、前記バックキャビネット２００の表示パネルアッセンブリ取付領域２１０を閉塞するよう開口部より表示パネルアッセンブリ１００を直接取付ける構造としている。
【００１７】
本実施例における表示パネルアッセンブリ１００の取付け手段について詳述すると、バックキャビネット２００の表示パネルアッセンブリ取付領域２１０における開口部周縁に位置するリブ２０１，２０１，２０１から内方へ向かって係合フック２０２，２０２，・・を延出形成し、表示パネルアッセンブリ１００の周縁部分には前記係合フック２０２，２０２，・・が係合する溝部１０１，１０１，・・を設けている。また、前記リブ２０１，２０１，２０１の奥側には段差２１２を設けており、前記段差２１２はバックキャビネット２００に取付けられる表示パネルアッセンブリ１００の背面側周縁が当接し、前記バックキャビネット２００に対する前記表示パネルアッセンブリ１００の位置決めおよび載置部分としての役割を担う。前記係合フック２０２，２０２，・・が前記溝部１０１，１０１，・・に係合するよう前記バックキャビネット２００の表示パネルアッセンブリ取付領域２１０に前記表示パネルアッセンブリ１００を取付ける。
【００１８】
そして、前記バックキャビネット２００の背面側にはネジが挿通可能な孔２０５，２０５，・・を形成し、前記表示パネルアッセンブリ１００の背面側には前記ネジが螺合するネジ穴１０８，１０８，・・を設けている。前記バックキャビネット２００の表示パネルアッセンブリ取付領域２１０に前記表示パネルアッセンブリ１００を取付けた後で前記孔２０５，２０５，・・からネジを挿通して締結する。
【００１９】
なお、本実施例では表示パネルアッセンブリ１００をバックキャビネット２００に取付ける手段として、溝部１０１と係合フック２０２による係合手段とネジによる締結手段を用いているが、前記係合手段か或いは前記締結手段の何れかの手段を用いて前記表示パネルアッセンブリ１００を前記バックキャビネット２００に取付けるようにしても良い。特に、画面サイズが４０インチ以上の表示装置であれば、前記係合手段と前記締結手段の両方を用いるのが望ましく、逆に画面サイズが１９インチ以下の表示装置であれば、前記係合手段または前記締結手段の何れか一つの手段によって事足りる。以上のように、バックキャビネット２００に対する表示パネルアッセンブリ１００の取付けの手段については特に限定せず、表示装置の大きさや重量に応じて適宜選定すれば良い。
【００２０】
図５は本発明の実施例における表示パネルアッセンブリの構成を示す分解斜視図である。同図の符号１０２はフロントベゼル、１０３は映像を表示する液晶セル、１０４は前記液晶セル１０３の後方側から光を透過する光源、１０５はバックシャーシ、１０６は光源１０４から照射される光を一方端面から受け入れて画面を均一に光らせるための導光板、１０７はバックシャーシ１０５と共に導光板１０６を固定するためのミドルフレームをそれぞれ表しており、前記フロントベゼル１０２と前記バックシャーシ１０５によって形成される空間内に液晶セル１０３と光源１０４を含む映像を表示するための部材を取付けている。
【００２１】
図６は本発明の実施例における表示装置の背面側分解斜視図である。同図の符号３０１は表示装置に電源を供給するための電源回路を含む基板（以下、単に電源基板と称す）、３０２は外部から入力される信号を制御して前記表示部へ表示するための制御回路を含む基板（以下、単に制御基板と称す）をそれぞれ表しており、本実施例では電源基板３０１及び制御基板３０２を表示パネルアッセンブリ１００のバックシャーシ１０５に取付けている。すなわち、表示パネルアッセンブリ１００のバックシャーシ１０５に基板を取付けるための基板取付部１０９，１０９，・・を形成し、電源基板３０１及び制御基板３０２を前記基板取付部１０９，１０９，・・に予め取付けた状態で、前記表示パネルアッセンブリ１００をバックキャビネット２００に取付けることで、表示装置の組立て作業を簡略化することが出来る。なお、電源基板３０１および制御基板３０２の取付けは本実施例の構成に限定するものではなく、例えば、バックキャビネット２００の内面側に基板取付部１０９，１０９，・・を形成して前記基板を取付ける構成としても良い。この場合、取付ける対象が表示パネルアッセンブリ１００からバックキャビネット１０２に代わるだけであり、組立て時の作業性に大きな影響を与えることはない。また、本実施例では電源回路と制御回路を別々の基板とした構成で説明したが、電源回路と制御回路を１つの基板にまとめた構成であっても良い。
【００２２】
図７は本発明の実施例におけるスピーカーの取付領域近傍を示す分解斜視図である。同図の符号４００は音声を出力するためのスピーカー、５００はスピーカー取付領域２１１を閉塞するスピーカーパネル部材をそれぞれ表しており、本実施例ではバックキャビネット２００の下方にスピーカー取付領域２１１を形成し、前記スピーカー取付領域２１１内にスピーカー４００を取付けるためのスピーカー取付部２０３を設けている。そして、スピーカー取付部２０３にスピーカー４００をネジ止めなどによって取付けた後、スピーカー取付領域２１１を閉塞するスピーカーパネル部材５００を取付ける。なお、前記スピーカーパネル部材５００を取付ける手段として、本実施例ではネジ止めによって行われている。すなわち、バックキャビネット２００の背面側にはネジが挿通可能な孔２０６，２０６を形成し、前記スピーカーパネル部材５００の背面側には前記ネジが螺合するボス５０１，５０１を設けている。そして、前記バックキャビネット２００のスピーカー取付領域２１１に前記スピーカーパネル部材５００を取付けた後で前記孔２０６，２０６からネジを挿通して締結する（図６参照）。
【００２３】
なお、本実施例ではバックキャビネット２００の表示パネルアッセンブリ１００が取付けられる表示パネルアッセンブリ取付領域２１０とは別にスピーカーが取付けられるスピーカー取付領域２１１を形成し、前記スピーカー取付領域２１１の正面側を閉塞するスピーカーパネル部材５００を設けた構成としているが、例えば、表示パネルアッセンブリ取付領域２１０にスピーカー４００を配設する構成としても良い。この場合、前記スピーカーパネル部材５００は不要となるが、前記スピーカー４００の出力音を表示装置の外部へ出すための微細孔を前記バックキャビネット２００に形成するのが望ましい。
【００２４】
以上、本発明の一実施例について詳述したが、本発明は前記実施例に限定されるものではなく、本発明の主旨の範囲内で種々の変形実施が可能である。
【符号の説明】
【００２５】
１００  表示パネルアッセンブリ
１０１  溝部
１０２  フロントベゼル
１０３  液晶セル
１０４  光源
１０５  バックシャーシ
１０６  導光板
１０７  ミドルフレーム
１０８  ネジ穴
１０９  基板取付部
２００  バックキャビネット
２０１  リブ
２０２  係合フック
２０３  スピーカー取付部
２０４  孔
２０５  孔
２１０  表示パネルアッセンブリ取付領域
２１１  スピーカー取付領域
２１２  段差
３０１  電源基板
３０２  制御基板
４００  スピーカー
５００  スピーカーパネル部材
５０１  ボス
【手続補正３】
【補正対象書類名】図面
【補正対象項目名】全図
【補正方法】変更
【補正の内容】
【図１】
2012068328.tif 000010
【図２】
2012068328.tif 000011
【図３】
2012068328.tif 000012
【図４】
2012068328.tif 000013
【図５】
2012068328.tif 000014
【図６】
2012068328.tif 000015
【図７】
2012068328.tif 000016
【手続補正書】
【提出日】平成23年6月14日(2011.6.14)
【手続補正１】
【補正対象書類名】特許請求の範囲
【補正対象項目名】全文
【補正方法】変更
【補正の内容】
【特許請求の範囲】
【請求項１】
開口部を有するバックキャビネットと、液晶セルと光源を含む映像を表示する部材と枠状を成すフロントベゼルと開口部を有するバックシャーシで構成され、前記フロントベゼルと前記バックシャーシで形成される空間内に前記映像を表示する部材を内蔵するようにユニット化した表示パネルアッセンブリと、電源回路と制御回路を含む基板と、を主要構成部材とする表示装置であって、前記バックキャビネットの開口部周縁より開口側へ向かって延出するリブを形成し、前記リブから内方へ向かって係合フックを形成し、前記リブの奥側には前記表示パネルアッセンブリの背面側周縁が当接する段差を設け、枠状を成す前記フロントベゼルの周縁部分には前記リブに形成された係合フックが係合する溝部を設け、前記バックシャーシの前記段差部に当接する部分を除く領域、および／または、前記バックキャビネットの前記段差部よりも内側の領域において、前記基板を取付けるための基板取付部を設け、前記表示パネルアッセンブリのフロントベゼルと前記バックキャビネットによって筐体を構成することを特徴とする表示装置。
【請求項２】
開口部を有するバックキャビネットと、液晶セルと光源を含む映像を表示する部材と枠状を成すフロントベゼルと開口部を有するバックシャーシで構成され、前記フロントベゼルと前記バックシャーシで形成される空間内に前記映像を表示する部材を内蔵するようにユニット化した表示パネルアッセンブリと、電源回路と制御回路を含む基板と、を主要構成部材とする表示装置であって、前記バックキャビネットの開口部周縁より開口側へ向かって延出するリブを形成し、前記リブの奥側には前記表示パネルアッセンブリの背面側周縁が当接する段差を設け、前記バックキャビネットの前記段差部近傍であって、且つ前記段差部よりも内側において、前記バックキャビネットの背面側より前記バックキャビネットの内面側へネジを挿通する孔を形成し、前記表示パネルアッセンブリのバックシャーシには、前記バックキャビネットに前記表示パネルアッセンブリを取付けた後で前記バックキャビネットの背面側より前記孔を介して挿通するネジが螺合するネジ穴を設け、前記バックシャーシの前記段差部に当接する部分を除く領域、および／または、前記バックキャビネットの前記段差部よりも内側の領域において、前記基板を取付けるための基板取付部を設け、前記表示パネルアッセンブリのフロントベゼルと前記バックキャビネットによって筐体を構成することを特徴とする表示装置。
【請求項３】
開口部を有するバックキャビネットと、液晶セルと光源を含む映像を表示する部材と枠状を成すフロントベゼルと開口部を有するバックシャーシで構成され、前記フロントベゼルと前記バックシャーシで形成される空間内に前記映像を表示する部材を内蔵するようにユニット化した表示パネルアッセンブリと、電源回路と制御回路を含む基板と、を主要構成部材とする表示装置であって、前記バックキャビネットの開口部周縁より開口側へ向かって延出するリブを形成し、前記リブから内方へ向かって係合フックを形成し、前記リブの奥側には前記表示パネルアッセンブリの背面側周縁が当接する段差を設け、枠状を成す前記フロントベゼルの周縁部分には前記リブに形成された係合フックが係合する溝部を設け、さらに、前記バックキャビネットの前記段差部近傍であって、且つ前記段差部よりも内側において、前記バックキャビネットの背面側より前記バックキャビネットの内面側へネジを挿通する孔を形成し、前記表示パネルアッセンブリのバックシャーシには、前記バックキャビネットに前記表示パネルアッセンブリを取付けた後で前記バックキャビネットの背面側より前記孔を介して挿通するネジが螺合するネジ穴を設け、前記バックシャーシの前記段差部に当接する部分を除く領域、および／または、前記バックキャビネットの前記段差部よりも内側の領域において、前記基板を取付けるための基板取付部を設け、前記表示パネルアッセンブリのフロントベゼルと前記バックキャビネットによって筐体を構成することを特徴とする表示装置。
【請求項４】
前記バックキャビネットには、開口部周縁がリブで囲まれた表示パネルアッセンブリを取付ける表示パネルアッセンブリ取付領域と、前記表示パネルアッセンブリ取付領域とは別に音声を出力するためのスピーカーを取付けるスピーカー取付領域を一体に形成し、前記スピーカー取付領域のみを前記バックキャビネットと共に閉塞するスピーカーパネル部材を設け、前記表示パネルアッセンブリ取付領域には前記表示パネルアッセンブリを取付け、前記スピーカー取付領域には前記スピーカーパネル部材を取付け、前記表示パネルアッセンブリのフロントベゼルと前記バックキャビネットと前記スピーカーパネル部材によって筐体を構成することを特徴とする請求項１乃至請求項３の何れか１項に記載の表示装置。
【手続補正２】
【補正対象書類名】明細書
【補正対象項目名】全文
【補正方法】変更
【補正の内容】
【発明の詳細な説明】
【技術分野】
【０００１】
本発明は、映像を表示するモニターやテレビジョン受像機などの表示装置に関する。
【背景技術】
【０００２】
近年の表示装置は、高さ寸法及び幅寸法に比べて奥行き寸法が小さい液晶セルを備えた薄型の表示装置が主流となっている。このような薄型の表示装置には、電源を供給するための回路基板や、外部から入力される信号を制御して前記液晶セルに映像を表示させるための回路基板などが取付けられており、構造の簡素化や表示装置の軽量化、薄型化、或いは意匠性の向上を図るためにさまざまな工夫が施されている。
【０００３】
例えば、特許文献１では、表示窓を備えたフロントキャビネットと、このフロントキャビネットの後方に配置されるバックキャビネットによって構成される筐体の内部に、補強板を基準として、映像を表示する部材をフロントベゼルとバックシャーシで形成される空間内に内蔵して構成される表示パネルアッセンブリと各種回路基板を取付け一体化したものを取付ける構造とし、表示装置の組立て工数の低減及び表示装置の薄型化を実現した内容が記載されている。
【０００４】
また、特許文献２では、シャーシを基準として表示パネルアッセンブリと、各種基板と、スピーカーを含む全ての内部構成部品を取付けた後にフロントキャビネットとバックキャビネットを取付ける構造とし、表示装置の組立て作業及びメンテナンス作業の簡略化、さらにはフロントキャビネット及びバックキャビネットの形状簡素化を実現した内容が記載されている。
【０００５】
【特許文献１】特開２０００−３１５０５４号公報
【特許文献２】特開２００７−１６３８６１号公報
【発明の開示】
【発明が解決しようとする課題】
【０００６】
特許文献１及び特許文献２の構造によれば、補強板或いはシャーシに表示装置を構成する内部構成部品の一部若しくは全部を取付け一体化することによる組立て作業性の改善が望めるが、換言すれば、内部構成部品の一体化を図るために補強板やシャーシといった部品が必要になることから結果として部品点数が増加する。また、補強板或いはシャーシと一体化した内部構成部品を取付けるだけの大きさでフロントキャビネットとバックキャビネットを形成しており、特に表示パネルの前面側に位置するフロントキャビネットは、後方側より取付けられるバックキャビネットの大きさに依存することから、液晶セルの周縁部分における幅寸法を小さくすることが困難となる。
【０００７】
本発明は上述した点に鑑みてなされたものであって、部品点数を削減して簡素な構造を実現し、組立て作業性が良好で安価な表示装置を提供することにある。また、液晶セル周縁の幅寸法を小さくした狭額縁化を可能とし、意匠性の高い表示装置を提供することにある。
【０００８】
請求項１に係る表示装置は、開口部を有するバックキャビネットと、液晶セルと光源を含む映像を表示する部材と枠状を成すフロントベゼルと開口部を有するバックシャーシで構成され、前記フロントベゼルと前記バックシャーシで形成される空間内に前記映像を表示する部材を内蔵するようにユニット化した表示パネルアッセンブリと、電源回路と制御回路を含む基板と、を主要構成部材とする表示装置であって、前記バックキャビネットの開口部周縁より開口側へ向かって延出するリブを形成し、前記リブから内方へ向かって係合フックを形成し、前記リブの奥側には前記表示パネルアッセンブリの背面側周縁が当接する段差を設け、枠状を成す前記フロントベゼルの周縁部分には前記リブに形成された係合フックが係合する溝部を設け、前記バックシャーシの前記段差に当接する部分を除く領域、および／または、前記バックキャビネットの前記段差よりも内側の領域において、前記基板を取付けるための基板取付部を設け、前記表示パネルアッセンブリのフロントベゼルと前記バックキャビネットによって筐体を構成することを特徴としている。
【０００９】
また、請求項２に係る表示装置は、開口部を有するバックキャビネットと、液晶セルと光源を含む映像を表示する部材と枠状を成すフロントベゼルと開口部を有するバックシャーシで構成され、前記フロントベゼルと前記バックシャーシで形成される空間内に前記映像を表示する部材を内蔵するようにユニット化した表示パネルアッセンブリと、電源回路と制御回路を含む基板と、を主要構成部材とする表示装置であって、前記バックキャビネットの開口部周縁より開口側へ向かって延出するリブを形成し、前記リブの奥側には前記表示パネルアッセンブリの背面側周縁が当接する段差を設け、前記バックキャビネットの前記段差近傍であって、且つ前記段差よりも内側において、前記バックキャビネットの背面側より前記バックキャビネットの内面側へネジを挿通する孔を形成し、前記表示パネルアッセンブリのバックシャーシには、前記バックキャビネットに前記表示パネルアッセンブリを取付けた後で前記バックキャビネットの背面側より前記孔を介して挿通するネジが螺合するネジ穴を設け、前記バックシャーシの前記段差に当接する部分を除く領域、および／または、前記バックキャビネットの前記段差よりも内側の領域において、前記基板を取付けるための基板取付部を設け、前記表示パネルアッセンブリのフロントベゼルと前記バックキャビネットによって筐体を構成することを特徴としている。
【００１０】
また、請求項３に係る表示装置は、開口部を有するバックキャビネットと、液晶セルと光源を含む映像を表示する部材と枠状を成すフロントベゼルと開口部を有するバックシャーシで構成され、前記フロントベゼルと前記バックシャーシで形成される空間内に前記映像を表示する部材を内蔵するようにユニット化した表示パネルアッセンブリと、電源回路と制御回路を含む基板と、を主要構成部材とする表示装置であって、前記バックキャビネットの開口部周縁より開口側へ向かって延出するリブを形成し、前記リブから内方へ向かって係合フックを形成し、前記リブの奥側には前記表示パネルアッセンブリの背面側周縁が当接する段差を設け、枠状を成す前記フロントベゼルの周縁部分には前記リブに形成された係合フックが係合する溝部を設け、さらに、前記バックキャビネットの前記段差近傍であって、且つ前記段差よりも内側において、前記バックキャビネットの背面側より前記バックキャビネットの内面側へネジを挿通する孔を形成し、前記表示パネルアッセンブリのバックシャーシには、前記バックキャビネットに前記表示パネルアッセンブリを取付けた後で前記バックキャビネットの背面側より前記孔を介して挿通するネジが螺合するネジ穴を設け、前記バックシャーシの前記段差に当接する部分を除く領域、および／または、前記バックキャビネットの前記段差よりも内側の領域において、前記基板を取付けるための基板取付部を設け、前記表示パネルアッセンブリのフロントベゼルと前記バックキャビネットによって筐体を構成することを特徴としている。
【００１１】
また、請求項４に係る表示装置は、請求項１乃至請求項３の何れか１項に記載の表示装置であって、前記バックキャビネットには、開口部周縁がリブで囲まれた表示パネルアッセンブリを取付ける表示パネルアッセンブリ取付領域と、前記表示パネルアッセンブリ取付領域とは別に音声を出力するためのスピーカーを取付けるスピーカー取付領域を一体に形成し、前記スピーカー取付領域のみを前記バックキャビネットと共に閉塞するスピーカーパネル部材を設け、前記表示パネルアッセンブリ取付領域には前記表示パネルアッセンブリを取付け、前記スピーカー取付領域には前記スピーカーパネル部材を取付け、前記表示パネルアッセンブリのフロントベゼルと前記バックキャビネットと前記スピーカーパネル部材によって筐体を構成することを特徴としている。
【発明の効果】
【００１２】
以上のような本発明の構成によれば、表示パネルアッセンブリのフロントベゼルとバックキャビネット、若しくは前記フロントベゼルとバックキャビネットとスピーカー領域のみを覆うスピーカーパネル部材によって表示装置の筐体を構成するため、従来、表示装置の筐体を構成する部材として必要とされていたフロントキャビネットが不要となる。この結果、バックキャビネットに対し表示パネルアッセンブリ（およびスピーカーパネル部材）を取付けるだけの簡素な構造が実現出来、組立て作業性の向上及び安価な表示装置の提供が可能となる。また、表示パネルアッセンブリのフロントベゼルがそのまま表示装置における液晶セルの周縁の幅となることから、前記液晶セル周縁の狭額縁化が可能となり、意匠性の高い表示装置を提供することが出来る。
【図面の簡単な説明】
【００１３】
【図１】本発明の実施例における表示装置の正面側分解斜視図。
【図２】本発明の実施例におけるバックキャビネットの表示パネルアッセンブリ取付領域およびスピーカー取付領域を示す概略図。
【図３】本発明の実施例における表示パネルアッセンブリの部分拡大斜視図。
【図４】本発明の実施例におけるバックキャビネットの部分拡大斜視図。
【図５】本発明の実施例における表示パネルアッセンブリの構成を示す分解斜視図。
【図６】本発明の実施例における表示装置の背面側分解斜視図。
【図７】本発明の実施例におけるスピーカー取付領域近傍を示す分解斜視図。
【発明を実施するための形態】
【００１４】
以下、本発明を実施するための最良の形態としての実施例を図１〜図８を用いて説明する。なお、本発明はその主旨に反しない範囲で、実施例において説明した構成以外のものに対しても容易に適用可能である。
【００１５】
図１は本発明の実施例における表示装置の正面側分解斜視図、図２は本発明の実施例におけるバックキャビネットの表示パネルアッセンブリ取付領域およびスピーカー取付領域を示す概略図、図３は本発明の実施例における表示パネルアッセンブリの部分拡大斜視図、図４は本発明の実施例におけるバックキャビネットの部分拡大斜視図である。同図の符号１００は表示パネルアッセンブリ、２００はバックキャビネット、４００はスピーカー、５００はスピーカーを取付ける領域を閉塞するスピーカーパネル部材をそれぞれ表しており、本実施例では、前記バックキャビネット２００に表示パネルアッセンブリ１００を取付ける領域（以下、表示パネルアッセンブリ取付領域２１０と称す）とスピーカー４００を取付ける領域（以下、スピーカー取付領域２１１と称す）を形成している。そして、前記バックキャビネット２００の表示パネルアッセンブリ取付領域２１０を閉塞するよう開口部より表示パネルアッセンブリ１００を直接取付ける構造としている。
【００１６】
本実施例における表示パネルアッセンブリ１００の取付け手段について詳述すると、バックキャビネット２００の表示パネルアッセンブリ取付領域２１０における開口部周縁に位置するリブ２０１，２０１，２０１から内方へ向かって係合フック２０２，２０２，・・を延出形成し、表示パネルアッセンブリ１００の周縁部分には前記係合フック２０２，２０２，・・が係合する溝部１０１，１０１，・・を設けている。また、前記リブ２０１，２０１，２０１の奥側には段差２１２を設けており、前記段差２１２はバックキャビネット２００に取付けられる表示パネルアッセンブリ１００の背面側周縁が当接し、前記バックキャビネット２００に対する前記表示パネルアッセンブリ１００の位置決めおよび載置部分としての役割を担う。前記係合フック２０２，２０２，・・が前記溝部１０１，１０１，・・に係合するよう前記バックキャビネット２００の表示パネルアッセンブリ取付領域２１０に前記表示パネルアッセンブリ１００を取付ける。
【００１７】
そして、前記バックキャビネット２００の背面側にはネジが挿通可能な孔２０５，２０５，・・を形成し、前記表示パネルアッセンブリ１００の背面側には前記ネジが螺合するネジ穴１０８，１０８，・・を設けている。前記バックキャビネット２００の表示パネルアッセンブリ取付領域２１０に前記表示パネルアッセンブリ１００を取付けた後で前記孔２０５，２０５，・・からネジを挿通して締結する。
【００１８】
なお、本実施例では表示パネルアッセンブリ１００をバックキャビネット２００に取付ける手段として、溝部１０１と係合フック２０２による係合手段とネジによる締結手段を用いているが、前記係合手段か或いは前記締結手段の何れかの手段を用いて前記表示パネルアッセンブリ１００を前記バックキャビネット２００に取付けるようにしても良い。特に、画面サイズが４０インチ以上の表示装置であれば、前記係合手段と前記締結手段の両方を用いるのが望ましく、逆に画面サイズが１９インチ以下の表示装置であれば、前記係合手段または前記締結手段の何れか一つの手段によって事足りる。以上のように、バックキャビネット２００に対する表示パネルアッセンブリ１００の取付けの手段については特に限定せず、表示装置の大きさや重量に応じて適宜選定すれば良い。
【００１９】
図５は本発明の実施例における表示パネルアッセンブリの構成を示す分解斜視図である。同図の符号１０２はフロントベゼル、１０３は映像を表示する液晶セル、１０４は前記液晶セル１０３の後方側から光を透過する光源、１０５はバックシャーシ、１０６は光源１０４から照射される光を一方端面から受け入れて画面を均一に光らせるための導光板、１０７はバックシャーシ１０５と共に導光板１０６を固定するためのミドルフレームをそれぞれ表しており、前記フロントベゼル１０２と前記バックシャーシ１０５によって形成される空間内に液晶セル１０３と光源１０４を含む映像を表示するための部材を取付けている。
【００２０】
図６は本発明の実施例における表示装置の背面側分解斜視図である。同図の符号３０１は表示装置に電源を供給するための電源回路を含む基板（以下、単に電源基板と称す）、３０２は外部から入力される信号を制御して前記表示部へ表示するための制御回路を含む基板（以下、単に制御基板と称す）をそれぞれ表しており、本実施例では電源基板３０１及び制御基板３０２を表示パネルアッセンブリ１００のバックシャーシ１０５に取付けている。すなわち、表示パネルアッセンブリ１００のバックシャーシ１０５に基板を取付けるための基板取付部１０９，１０９，・・を形成し、電源基板３０１及び制御基板３０２を前記基板取付部１０９，１０９，・・に予め取付けた状態で、前記表示パネルアッセンブリ１００をバックキャビネット２００に取付けることで、表示装置の組立て作業を簡略化することが出来る。なお、電源基板３０１および制御基板３０２の取付けは本実施例の構成に限定するものではなく、例えば、バックキャビネット２００の内面側に基板取付部１０９，１０９，・・を形成して前記基板を取付ける構成としても良い。この場合、取付ける対象が表示パネルアッセンブリ１００からバックキャビネット１０２に代わるだけであり、組立て時の作業性に大きな影響を与えることはない。また、本実施例では電源回路と制御回路を別々の基板とした構成で説明したが、電源回路と制御回路を１つの基板にまとめた構成であっても良い。
【００２１】
図７は本発明の実施例におけるスピーカーの取付領域近傍を示す分解斜視図である。同図の符号４００は音声を出力するためのスピーカー、５００はスピーカー取付領域２１１を閉塞するスピーカーパネル部材をそれぞれ表しており、本実施例ではバックキャビネット２００の下方にスピーカー取付領域２１１を形成し、前記スピーカー取付領域２１１内にスピーカー４００を取付けるためのスピーカー取付部２０３を設けている。そして、スピーカー取付部２０３にスピーカー４００をネジ止めなどによって取付けた後、スピーカー取付領域２１１を閉塞するスピーカーパネル部材５００を取付ける。なお、前記スピーカーパネル部材５００を取付ける手段として、本実施例ではネジ止めによって行われている。すなわち、バックキャビネット２００の背面側にはネジが挿通可能な孔２０６，２０６を形成し、前記スピーカーパネル部材５００の背面側には前記ネジが螺合するボス５０１，５０１を設けている。そして、前記バックキャビネット２００のスピーカー取付領域２１１に前記スピーカーパネル部材５００を取付けた後で前記孔２０６，２０６からネジを挿通して締結する（図６参照）。
【００２２】
なお、本実施例ではバックキャビネット２００の表示パネルアッセンブリ１００が取付けられる表示パネルアッセンブリ取付領域２１０とは別にスピーカーが取付けられるスピーカー取付領域２１１を形成し、前記スピーカー取付領域２１１の正面側を閉塞するスピーカーパネル部材５００を設けた構成としているが、例えば、表示パネルアッセンブリ取付領域２１０にスピーカー４００を配設する構成としても良い。この場合、前記スピーカーパネル部材５００は不要となるが、前記スピーカー４００の出力音を表示装置の外部へ出すための微細孔を前記バックキャビネット２００に形成するのが望ましい。
【００２３】
以上、本発明の一実施例について詳述したが、本発明は前記実施例に限定されるものではなく、本発明の主旨の範囲内で種々の変形実施が可能である。
【符号の説明】
【００２４】
１００  表示パネルアッセンブリ
１０１  溝部
１０２  フロントベゼル
１０３  液晶セル
１０４  光源
１０５  バックシャーシ
１０６  導光板
１０７  ミドルフレーム
１０８  ネジ穴
１０９  基板取付部
２００  バックキャビネット
２０１  リブ
２０２  係合フック
２０３  スピーカー取付部
２０４  孔
２０５  孔
２１０  表示パネルアッセンブリ取付領域
２１１  スピーカー取付領域
２１２  段差
３０１  電源基板
３０２  制御基板
４００  スピーカー
５００  スピーカーパネル部材
５０１  ボス
【手続補正書】
【提出日】平成23年9月6日(2011.9.6)
【手続補正１】
【補正対象書類名】特許請求の範囲
【補正対象項目名】全文
【補正方法】変更
【補正の内容】
【特許請求の範囲】
【請求項１】
開口部を有するバックキャビネットと、液晶セルと光源を含む映像を表示する部材と枠状を成すフロントベゼルと開口部を有するバックシャーシで構成され、前記フロントベゼルと前記バックシャーシで形成される空間内に前記映像を表示する部材を内蔵するようにユニット化した表示パネルアッセンブリと、電源回路と制御回路を含む基板と、を主要構成部材とする表示装置であって、前記バックキャビネットの開口部周縁より開口側へ向かって延出するリブを形成し、前記リブから内方へ向かって係合フックを形成し、前記リブの奥側には前記表示パネルアッセンブリの背面側周縁が当接する段差を設け、枠状を成す前記フロントベゼルの周縁部分には前記リブに形成された係合フックが係合する溝部を設け、前記バックシャーシの前記段差に当接する部分を除く領域、および／または、前記バックキャビネットの前記段差よりも内側の領域において、前記基板を取付けるための基板取付部を設け、前記表示パネルアッセンブリのフロントベゼルと前記バックキャビネットによって筐体を構成することを特徴とする表示装置。
【請求項２】
開口部を有するバックキャビネットと、液晶セルと光源を含む映像を表示する部材と枠状を成すフロントベゼルと開口部を有するバックシャーシで構成され、前記フロントベゼルと前記バックシャーシで形成される空間内に前記映像を表示する部材を内蔵するようにユニット化した表示パネルアッセンブリと、電源回路と制御回路を含む基板と、を主要構成部材とする表示装置であって、前記バックキャビネットの開口部周縁より開口側へ向かって延出するリブを形成し、前記リブの奥側には前記表示パネルアッセンブリの背面側周縁が当接する段差を設け、前記バックキャビネットの前記段差近傍であって、且つ前記段差よりも内側において、前記バックキャビネットの背面側より前記バックキャビネットの内面側へネジを挿通する孔を形成し、前記表示パネルアッセンブリのバックシャーシには、前記バックキャビネットに前記表示パネルアッセンブリを取付けた後で前記バックキャビネットの背面側より前記孔を介して挿通するネジが螺合するネジ穴を設け、前記バックシャーシの前記段差に当接する部分を除く領域、および／または、前記バックキャビネットの前記段差よりも内側の領域において、前記基板を取付けるための基板取付部を設け、前記表示パネルアッセンブリのフロントベゼルと前記バックキャビネットによって筐体を構成することを特徴とする表示装置。
【請求項３】
開口部を有するバックキャビネットと、液晶セルと光源を含む映像を表示する部材と枠状を成すフロントベゼルと開口部を有するバックシャーシで構成され、前記フロントベゼルと前記バックシャーシで形成される空間内に前記映像を表示する部材を内蔵するようにユニット化した表示パネルアッセンブリと、電源回路と制御回路を含む基板と、を主要構成部材とする表示装置であって、前記バックキャビネットの開口部周縁より開口側へ向かって延出するリブを形成し、前記リブから内方へ向かって係合フックを形成し、前記リブの奥側には前記表示パネルアッセンブリの背面側周縁が当接する段差を設け、枠状を成す前記フロントベゼルの周縁部分には前記リブに形成された係合フックが係合する溝部を設け、さらに、前記バックキャビネットの前記段差近傍であって、且つ前記段差よりも内側において、前記バックキャビネットの背面側より前記バックキャビネットの内面側へネジを挿通する孔を形成し、前記表示パネルアッセンブリのバックシャーシには、前記バックキャビネットに前記表示パネルアッセンブリを取付けた後で前記バックキャビネットの背面側より前記孔を介して挿通するネジが螺合するネジ穴を設け、前記バックシャーシの前記段差に当接する部分を除く領域、および／または、前記バックキャビネットの前記段差よりも内側の領域において、前記基板を取付けるための基板取付部を設け、前記表示パネルアッセンブリのフロントベゼルと前記バックキャビネットによって筐体を構成することを特徴とする表示装置。
【請求項４】
前記バックキャビネットには、開口部周縁がリブで囲まれた表示パネルアッセンブリを取付ける表示パネルアッセンブリ取付領域と、前記表示パネルアッセンブリ取付領域とは別に音声を出力するためのスピーカーを取付けるスピーカー取付領域を一体に形成し、前記スピーカー取付領域のみを前記バックキャビネットと共に閉塞するスピーカーパネル部材を設け、前記表示パネルアッセンブリ取付領域には前記表示パネルアッセンブリを取付け、前記スピーカー取付領域には前記スピーカーパネル部材を取付け、前記表示パネルアッセンブリのフロントベゼルと前記バックキャビネットと前記スピーカーパネル部材によって筐体を構成することを特徴とする請求項１乃至請求項３の何れか１項に記載の表示装置。